(57)【要約】【課題】光源の消灯時にインジケータパターン部が視認され難い仕様を実現しつつ、良好な光拡散性能を得ることができる表示装置を提供する。【解決手段】本発明の一形態に係る表示装置１は、複数の光源２と、複数の光源２からの光が出射する出射面と、複数の光源２からの光が混ざらないように、光を出射面に導く導光部３ｂと、を有するフレーム３と、フレーム３の出射面に接合され、導光部３ｂと対応する位置にインジケータパターン部５ｇを有する化粧板５と、化粧板５におけるフレーム３側の面に印刷された光拡散印刷５ｂと、光拡散印刷５ｂをフレーム３側から覆う光拡散シート５ｃと、を備える。【選択図】図２
2018138952.tif 000002
【特許請求の範囲】
【請求項１】
複数の光源と、
前記複数の光源からの光が出射する出射面と、前記複数の光源からの光が混ざらないように、前記光を前記出射面に導く導光部と、を有するフレームと、
前記フレームの出射面に接合され、前記導光部と対応する位置にインジケータパターン部を有する化粧板と、
前記化粧板における前記フレーム側の面に印刷された光拡散印刷と、
前記光拡散印刷を前記フレーム側から覆う光拡散シートと、
を備える、表示装置。
【請求項２】
前記光拡散シートは、前記化粧板側の面に光拡散部を有し、接合部材を介して前記化粧板における前記フレーム側の面に接合され、
前記接合部材は、前記インジケータパターン部と対応する位置に開口部を備え、前記光拡散シートの前記光拡散部により形成された凹凸部を埋めている、請求項１に記載の表示装置。
【請求項３】
前記フレームは、当該フレームの出射面に前記光拡散シートを収容する収容部を備える、請求項２に記載の表示装置。
【請求項４】
前記接合部材は、前記光拡散シートの周縁部から突出する突出部を備えており、
前記突出部を介して前記化粧板が前記フレームの出射面に接合される、請求項３に記載の表示装置。
【請求項５】
前記接合部材は、光吸収性を有する両面接着シートである、請求項２乃至４のいずれか１項に記載の表示装置。
【発明の詳細な説明】
【技術分野】
【０００１】
本発明は、表示装置に関する。
【背景技術】
【０００２】
一般的に、自動車などのインジケータ（即ち、表示装置）は、光源から出射する光を化粧板に設けられたインジケータパターン部から出射させることで、使用者にインジケータの点灯を視認させる構成である。
【０００３】
このようなインジケータにおいては、認識し易くするために輝度ムラをなくし、且つ薄型化が要望されているが、例えば、特許文献１のように、光拡散板に代わって光拡散印刷を採用すると、インジケータの薄型化を実現することができる。
【先行技術文献】
【特許文献】
【０００４】
【特許文献１】特開２０１２−１１３１７９号公報
【発明の概要】
【発明が解決しようとする課題】
【０００５】
一般的に光拡散板に比べて光拡散印刷は光拡散性能が低く、光拡散印刷のみで所望の光拡散性能を得ようとする場合、例えば、光を完全には遮断しない白色印刷を施すことで比較的高い光拡散性能が得られる場合もある。ここで、インジケータにおいては、インジケータの点灯誤認を防ぐために、光源の消灯時にインジケータパターン部が視認され難い仕様であることが要望される。
【０００６】
しかしながら、白色印刷は反射性に優れているため、外光が反射し易く、光源の消灯時において、外光の反射光がインジケータパターン部を浮かび上がらせ、当該インジケータパターン部が視認される可能性がある。そのため、白色印刷を施した場合、光源の消灯時にインジケータパターン部が視認され難い仕様を実現することは難しい。
【０００７】
本発明の目的は、上述した課題を解決するためになされたものであり、光源の消灯時にインジケータパターン部が視認され難い仕様を実現しつつ、良好な光拡散性能を得ることができる表示装置を実現する。
【課題を解決するための手段】
【０００８】
本発明の一形態に係る表示装置は、
複数の光源と、
前記複数の光源からの光が出射する出射面と、前記複数の光源からの光が混ざらないように、前記光を前記出射面に導く導光部と、を有するフレームと、
前記フレームの出射面に接合され、前記導光部と対応する位置にインジケータパターン部を有する化粧板と、
前記化粧板における前記フレーム側の面に印刷された光拡散印刷と、
前記光拡散印刷を前記フレーム側から覆う光拡散シートと、
を備える。
【発明の効果】
【０００９】
本発明によれば、光源の消灯時にインジケータパターン部が視認され難い仕様を実現しつつ、良好な光拡散性能を得ることができる。
【図面の簡単な説明】
【００１０】
【図１】実施の形態の表示装置を模式的に示す分解図である。
【図２】実施の形態の表示装置を模式的に示す断面図である。
【図３】実施の形態の表示装置におけるフレームを模式的に示す後方斜視図である。
【図４】実施の形態の表示装置における化粧板、接合部材及び光拡散シートを模式的に示す斜視図である。
【図５】実施の形態の表示装置における化粧板ユニットを模式的に示す前方斜視図である。
【図６】実施の形態の表示装置における化粧板ユニットを模式的に示す後方斜視図である。
【発明を実施するための形態】
【００１１】
以下、本発明を適用した具体的な実施の形態について、図面を参照しながら詳細に説明する。但し、本発明が以下の実施の形態に限定される訳ではない。また、説明を明確にするため、以下の記載及び図面は、適宜、簡略化されている。
【００１２】
先ず、本実施の形態の表示装置の構成を説明する。図１は、本実施の形態の表示装置を模式的に示す分解図である。図２は、本実施の形態の表示装置を模式的に示す断面図である。図３は、本実施の形態の表示装置におけるフレームを模式的に示す後方斜視図である。ここで、説明を明確にするために、図１などに示すように、表示装置の前後方向、上下方向及び左右方向を規定するが、表示装置の使用形態によって、適宜、変更される。
【００１３】
本実施の形態の表示装置は、例えば、自動車などのインジケータとして好適である。ここで、インジケータは、警告灯などに限らず、使用者に情報を伝えるための表示装置であればよい。
【００１４】
表示装置１は、図１に示すように、光源２、フレーム３、リヤカバー４及び化粧板ユニット５を備えている。光源２は、例えば、ＬＥＤ（Light Emitting Diode）であり、図１及び図２に示すように、基板６の前面に搭載されている。このような光源２は、予め設定された位置に配置されており、例えば、図１に示すように、略等しい間隔で配置されている。但し、光源２は、ＬＥＤに限らず、点灯及び消灯可能なものであればよい。なお、図２では、図を簡略化するために、リヤカバー４を省略している。
【００１５】
フレーム３は、図１乃至図３に示すように、箱部３ａ及び導光部３ｂを備えており、光源２に対して前側に配置されている。箱部３ａは、例えば、後側が開口し、且つ表示装置１の前側に向かって凹んだ収容部３ｃを有する箱体を基本形態としており、前面３ｄ及び当該前面３ｄの周縁から表示装置１の後側に向かって延在する側面３ｅを備えている。そして、箱部３ａの収容部３ｃに光源２を搭載した基板６が収容されている。
【００１６】
導光部３ｂは、例えば、図２及び図３に示すように、筒状体である。そして、導光部３ｂは、箱部３ａの内部において前後方向に延在しており、前端部が箱部３ａの前面３ｄ（即ち、フレーム３の前面）に連結されている。そして、各々の導光部３ｂの内部には、表示装置１の前後方向から見て、光源２が配置されている。つまり、各々の導光部３ｂは、光源２に対応する位置に配置されている。このとき、導光部３ｂの後面３ｆは、光源２の直近に配置される。ちなみに、箱部３ａ及び導光部３ｂは、樹脂を一体成形することで、簡単に形成することができる。
【００１７】
リヤカバー４は、箱部３ａの収容部３ｃに光源２を搭載した基板６が収容された状態でフレーム３を表示装置１の後側から覆う。
【００１８】
化粧板ユニット５は、図１及び図２に示すように、箱部３ａの前面３ｄを覆う。ここで、図４は、本実施の形態の表示装置における化粧板、接合部材及び光拡散シートを模式的に示す斜視図である。図５は、本実施の形態の表示装置における化粧板ユニットを模式的に示す前方斜視図である。図６は、本実施の形態の表示装置における化粧板ユニットを模式的に示す後方斜視図である。
【００１９】
化粧板ユニット５は、図２及び図４に示すように、化粧板５ａ、光拡散印刷５ｂ、光拡散シート５ｃ及び接合部材５ｄを備えている。
【００２０】
化粧板５ａは、図４に示すように、化粧板本体５ｅの後面に形成された遮光層５ｆによってインジケータパターン部５ｇが形成されている。化粧板本体５ｅは、表示装置１内への外光の入射を抑制するために、例えば、透過性を有するスモーク板である。なお、図４では、全てのインジケータパターン部５ｇを示しておらず、一部のインジケータパターン部５ｇを示しており、記号部分がインジケータパターン部５ｇである。
【００２１】
遮光層５ｆは、図４に示すように、化粧板本体５ｅの後面におけるインジケータパターン部５ｇ以外の領域に形成されている。遮光層５ｆは、例えば、化粧板本体５ｅの後面におけるインジケータパターン部５ｇに対応する部分をマスキングした後に、化粧板本体５ｅにスクリーン印刷を施すことによって形成される。但し、遮光層５ｆは、スクリーン印刷に限らず、他の印刷方法によって形成してもよい。ここで、遮光層５ｆにピンホールが形成されないように、遮光層５ｆを複数層形成するとよい。
【００２２】
インジケータパターン部５ｇは、図４に示すように、遮光層５ｆに対して抜き加工された光透過部分であり、インジケータが示す情報を表す。そして、インジケータパターン部５ｇは、図２に示すように、表示装置１の前後方向から見て、フレーム３の導光部３ｂ内に配置されている。つまり、インジケータパターン部５ｇは、フレーム３の導光部３ｂと対応する位置に配置されている。
【００２３】
光拡散印刷５ｂは、図２に示すように、化粧板５ａの後面に施されている。光拡散印刷５ｂは、例えば、光拡散部材が添加され、且つ光透過性を有するスモーク塗料でインジケータパターン部５ｇ内が満たされるように、当該スモーク塗料が化粧板５ａの後面に印刷されて成る。ちなみに、本実施の形態では、化粧板５ａの後面におけるインジケータパターン部５ｇを内部に納める所定の領域に光拡散印刷５ｂが施されている。
【００２４】
このような光拡散印刷５ｂは、上述のようにスモーク塗料を印刷して成るので、光源２の消灯時に、化粧板５ａの前面から入射した外光を略吸収する。その結果、入射した外光が光拡散印刷５ｂで反射し難く、光源２の消灯時に、インジケータパターン部５ｇは略視認されない。
【００２５】
光拡散シート５ｃは、光拡散印刷５ｂを表示装置１の後側から覆う。光拡散シート５ｃは、例えば、光透過性のシート５ｈの前面に光拡散部５ｉが形成されて成り、化粧板５ａの外形に対して一回り小さい外形を有する。ここで、光拡散部５ｉは、シート５ｈに光拡散部材を塗布することで形成してもよく、成形型によってシート５ｈの前面に形成してもよい。但し、光拡散シート５ｃの外形は、化粧板５ａの外形と等しくてもよく、又は化粧板５ａの外形より大きくてもよい。
【００２６】
接合部材５ｄは、光拡散シート５ｃを化粧板５ａの後面に接合する。これにより、化粧板５ａ、光拡散印刷５ｂ及び光拡散シート５ｃは、図５及び図６に示すように、化粧板ユニット５として一体化される。接合部材５ｄは、例えば、光吸収性を有する両面接着シートであり、図４に示すように、表示装置１の前後方向から見て、インジケータパターン部５ｇを内部に納める開口部５ｊを有する。そして、接合部材５ｄは、光拡散シート５ｃの光拡散部５ｉにより形成された凹凸部を略埋めている。
【００２７】
このような構成の化粧板ユニット５は、図２に示すように、箱部３ａの前面３ｄに接合されている。
【００２８】
次に、本実施の形態の表示装置１において、インジケータを点灯させるために光源２が点灯した際の光の進み具合を説明する。ここで、表示装置１から光が出射する方向は、表示装置１の前側である。
【００２９】
先ず、光源２から出射した光は、フレーム３において、導光部３ｂの後面３ｆから入射して、導光部３ｂによって隣接する光源２から出射した光との混光が抑制されつつ、導光部３ｂ内で表示装置１の前側に導かれ、その後、箱部３ａの前面３ｄから出射する。
【００３０】
そのため、フレーム３において、導光部３ｂの後面３ｆは、光源２からの光の入射面を成し、箱部３ａの前面３ｄは、光源２からの光の出射面を成し、導光部３ｂの内部は、導光部３ｂの後面３ｆから入射する光を箱部３ａの前面３ｄまで導く導光路を成す。このとき、導光部３ｂの内周面は、表示装置１の前側に向かって拡径するテーパー形状に形成されていると、表示装置１の前側に向かって光を拡散することができる。
【００３１】
そして、箱部３ａの前面３ｄから出射した光は、光拡散シート５ｃで拡散し、接合部材５ｄの開口部５ｊを介して光拡散印刷５ｂに入射する。このとき、光拡散シート５ｃの光拡散部５ｉにより形成された凹凸部は、接合部材５ｄによって略埋められているので、光拡散シート５ｃにおける接合部材５ｄと接合された部分は、光拡散性能が低下する。そのため、接合部材５ｄにおける隣接する開口部５ｊへの光の漏れを抑制することができる。ここで、接合部材５ｄが光吸収性を有する場合（例えば、黒色に着色されている場合）、さらに接合部材５ｄにおける隣接する開口部５ｊへの光の漏れを抑制することができる。
【００３２】
その後、光拡散印刷５ｂに入射した光は、当該光拡散印刷５ｂで拡散してインジケータパターン部５ｇを介して化粧板本体５ｅの前面から出射する。
【００３３】
このように本実施の形態の表示装置１は、光源２の消灯時にインジケータパターン部５ｇが視認されず、且つ光源２の点灯時にインジケータパターン部５ｇ側に当該光源２からの光を拡散するように、化粧板５ａの後面に印刷された光拡散印刷５ｂに加えて、光拡散シート５ｃを備えている。そのため、本実施の形態の表示装置１は、光源２の消灯時にインジケータパターン部５ｇが視認され難い仕様を実現しつつ、良好な光拡散性能を得ることができる。特に、光源２としてＬＥＤを用いた場合、ＬＥＤから出射する光は指向性が高いが、インジケータパターン部５ｇに到達するまでに、光を良好に拡散することができる。
【００３４】
しかも、本実施の形態の表示装置１は、接合部材５ｄによって光拡散シート５ｃの光拡散部５ｉにより形成された凹凸部を略埋めているので、光拡散シート５ｃにおける接合部材５ｄと接合された部分は、光拡散性能が低下する。そのため、本実施の形態の表示装置１は、接合部材５ｄにおける隣接する開口部５ｊへの光の漏れを抑制することができる。その結果、隣接するインジケータパターン部５ｇへの光の漏れを抑制することができる。なお、接合部材５ｄが光吸収性を有する場合、さらに接合部材５ｄにおける隣接する開口部５ｊへの光の漏れを抑制することができる。
【００３５】
ここで、図１に示すように、箱部３ａの前面３ｄに表示装置１の後側に凹む収容部３ｇが形成されており、当該収容部３ｇに化粧板ユニット５が収容されるとよい。これにより、表示装置１の厚みを低減することができる。但し、収容部３ｇは、少なくとも光拡散シート５ｃを収容可能な形状であればよい。
【００３６】
このとき、図６に示すように、接合部材５ｄは、化粧板５ａの外形と略等しい外形を有し、光拡散シート５ｃの周縁部から突出する突出部５ｋを有するとよい。そして、光拡散シート５ｃを箱部３ａの収容部３ｇに収容した状態で、接合部材５ｄの突出部５ｋを箱部３ａの前面３ｄに接合すると、簡単に化粧板ユニット５をフレーム３に接合することができる。ここで、図４では、接合部材５ｄにハッチングが施された部分が突出部５ｋである。
【００３７】
なお、箱部３ａの収容部３ｇが化粧板ユニット５を収容可能な形状の場合、図１に示すように、収容部３ｇは、表示装置１の前側から後側に向かって順に、化粧板５ａが収容される第１の部分３ｈ、及び第１の部分３ｈより一回り小さく、光拡散シート５ｃが収容される第２の部分３ｉを備えている。そのため、接合部材５ｄの突出部５ｋは、第１の部分３ｈと第２の部分３ｉとの段差部分（即ち、第１の部分３ｈの前面）に接合すればよい。
【００３８】
本発明は上記実施の形態に限られたものではなく、趣旨を逸脱しない範囲で適宜変更することが可能である。
例えば、本実施の形態の光拡散シート５ｃは、前面のみに光拡散部５ｉが形成されているが、後面にも光拡散部５ｉが形成されていてもよい。
例えば、本実施の形態の接合部材５ｄは、少なくとも光拡散シート５ｃを箱部３ａの前面３ｄに接合することができればよく、例えば、接着剤などでもよい。
【符号の説明】
【００３９】
１  表示装置
２  光源
３  フレーム
３ｂ  導光部
３ｄ  前面
５ａ  化粧板
５ｂ  光拡散印刷
５ｃ  光拡散シート
５ｄ  接合部材
５ｇ  インジケータパターン部
【図１】
2018138952.tif 000003
【図２】
2018138952.tif 000004
【図３】
2018138952.tif 000005
【図４】
2018138952.tif 000006
【図５】
2018138952.tif 000007
【図６】
2018138952.tif 000008